(57)【要約】      （修正有）【課題】安全性と表示部の耐久性を考慮した識別表示であって、認識し易くオリジナリティを十分に有するものをランドセルに付したことにより、識別性とデザイン性とを相乗的に高めたランドセルを提供する。【解決手段】ランドセル１は、上側を開口２ａとする長方体状の本体２と、該本体２の裏面側に設けられた肩紐３と、前記本体の開口２ａの蓋となる、自由端側にベロ部５及び錠前６を有する冠４とよりなり、識別模様９ａ等の識別表示を底面２ｂに着脱不能に付した。【選択図】図１
0003180945.tif 000002
【実用新案登録請求の範囲】
【請求項１】
上方を開口とする長方体状の本体と、該本体の裏面側に設けられた左右一対の肩紐と、前記開口の蓋となる、自由端側にベロ部及び係止金具を有する冠とを備えたランドセルであって、
所有者が自己のものであることを認識するための識別表示を前記本体の底面に着脱不能に付したことを特徴とするランドセル。
【請求項２】
前記識別表示として識別模様及び名称を前記底面に付すと共に、前記底面に付した識別模様と統一性又は関連性のある付属表示を側面に付した請求項１記載のランドセル。
【請求項３】
前記冠を閉めた状態では前記ベロ部が被さることによって外部から視認されない領域に前記名称を付した請求項２記載のランドセル。
【請求項４】
前記識別表示をレーザー加工によって付した請求項１〜３の何れか１項記載のランドセル。
【請求項５】
前記識別表示を刺繍によって付した請求項１〜３の何れか１項記載のランドセル。
【請求項６】
製品として成形された後に、前記識別表示をレーザー加工によって底面に付した請求項１〜５の何れか１項記載のランドセル。
【考案の詳細な説明】
【技術分野】
【０００１】
本考案はランドセルに関し、より詳しくは識別性とデザイン性とを相乗的に向上させることによって商品価値を高めたランドセルに関する。
【背景技術】
【０００２】
ランドセルは全体的な印象が似ているものが多く、取り違えを防ぐために吊下げ名札が広く用いられていたが、このような名札は通学路で全くの他人にも氏名等の個人情報を無用に知らしめることとなり、安全性の面で問題があった。
【０００３】
この問題を解消するものとして、ランドセルの被せ蓋（冠）の先端部位に係止金具を固定する際に、使用者の氏名等の所有者を表す個人識別表記を外面に刺繍によって設けた指掛け生地片を固定したものが提案されている（特許文献１参照）。
【０００４】
このランドセルは、背負っているときには個人識別表記である氏名等が他人に容易に見られず、底面が見える状態で棚に収納しているときには氏名等が確認することができるようにしたことで、安全性を考慮しつつ識別性の向上を図ったものである。
しかし、このランドセルは、指掛け生地片の外面に氏名等を表示するため、その表示面は限られたスペースであって当然に小さな表示しか付すことができず、オリジナリティを発揮することができないばかりか、遠くからの識別も困難なものである。
また、ベロ部の外側に設けられる指掛け生地片は、ランドセルの被せ蓋（冠）の開閉作業や立てた状態での床への載置等によって劣化が懸念される部分でもあり、このような部分に複数の孔をあけて糸を通し刺繍を設けると、六年間の使用によって革の切断や刺繍の糸のほつれ等がおこる虞もある。
【先行技術文献】
【特許文献】
【０００５】
【特許文献１】特開２００２−２３８６３１号公報
【考案の開示】
【考案が解決しようとする課題】
【０００６】
そこで、本考案が前述の状況に鑑み解決しようとするところは、安全性と表示部の耐久性を考慮した識別表示であって、認識し易くオリジナリティを十分に有するものをランドセルに付したことにより、識別性とデザイン性とを相乗的に高めたランドセルを提供する点にある。
【課題を解決するための手段】
【０００７】
すなわち本考案に係るランドセルは、上方を開口とする長方体状の本体と、該本体の裏面側に設けられた左右一対の肩紐と、前記開口の蓋となる、自由端側にベロ部及び係止金具を有する冠とを備えたランドセルであって、所有者が自己のものであることを認識するための識別表示を前記本体の底面に着脱不能に付したことを特徴とするものである。
【０００８】
また、前記識別表示として識別模様及び名称を前記底面に付すと共に、前記底面に付した識別模様と統一性又は関連性のある付属表示を側面に付したものであってもよい。
【０００９】
さらに、前記冠を閉めた状態では前記ベロ部が被さることによって外部から視認されない領域に名称を付したものとすることができる。
【００１０】
さらにまた、前記識別表示をレーザー加工によって付したものであってもよい。
【００１１】
また、前記識別表示を刺繍によって付したものであってもよい。
【００１２】
さらに、製品として成形された後に、前記識別表示をレーザー加工によって底面に付すこともできる。
【考案の効果】
【００１３】
本考案に係るランドセルによれば、識別表示を本体の底面に着脱不能に付したことにより、小学生がランドセルを背負った状態（以下、「使用状態」という。）で無用な情報開示を行なうことなく、また、識別表示に対するサイズや位置の制限が大幅に緩和されることで自由な表現によって識別表示を行なうことができ、オリジナリティを十分に発揮すると共に識別性を有することが可能となる。さらに、識別表示が付された底面は、ベロ部や本体背面の下端部等が底面の外方に存在することにより、床に置いた場合にも他と接触せず劣化し難いため、六年間使用されるランドセルにおいては特に有利なものとなる。
【００１４】
また、前記識別表示として識別模様及び名称を前記底面に付すと共に、前記底面に付した識別模様と統一性又は関連性のある付属表示を側面に付したものとすると、統一性又は関連性ある底面及び側面の付属表示によって、全体の外観のデザイン性を向上させることができると共に、使用者やその友人、家族等は側面を見ただけで所有者を識別することが可能となり、また、底面の名称を確認することで誰もが確実な識別を行なうことも可能となる。
【００１５】
さらに、前記冠を閉めて錠を閉めた状態（以下、「ロック状態」という。）では前記ベロ部が被さることによって外部から視認されない領域に名称を付したものとすると、例えば、この領域内の識別表示として氏名等の秘密要求の高い情報を記載することや、冠を開けた状態（以下、「開放状態」という。）とロック状態とが異なる印象を与えるような表示を付すことができ、需要者の要求に十分に対応することが可能となる。
【００１６】
さらにまた、前記識別表示をレーザー加工によって付したものによれば、革の生地等に直接加工するため、着脱不能であり、脱落する虞がなく耐久性の面でも有利なものとすることができると共に、個人用商品としての価値を高くすることができる。
【００１７】
また、前記識別表示を刺繍によって付したものによれば、底面及び側面の識別表示及び付属表示を一連の模様や文字等としてより一体性のあるものとして付すことができる。
【００１８】
さらに、製品として成形された後に、前記識別表示をレーザー加工によって底面に付したことにより、識別力及びデザイン性を相乗的に向上させたものによれば、成形後においても購入者の希望の合わせた識別表示を付すことができ、大量生産品であっても迅速且つ容易にオリジナリティのあるものとすることができる。
【図面の簡単な説明】
【００１９】
【図１】本考案の実施形態に係るランドセル１の斜め下方向からの斜視図である。
【図２】本考案の実施形態に係るランドセル１の斜め横方向からの斜視図である。
【図３】本考案の実施形態に係るランドセル１の本体２及び冠４の構成を示す説明図であり、（ａ）はロック状態の底面図、（ｂ）はロックを解除してベロ部５を開放した状態の底面図である。
【図４】本考案の他の実施形態に係るランドセル１Ａの本体２及び冠４の構成を示す底面図である。
【図５】本考案の更に他の実施形態に係るランドセル１Ｂの本体２及び冠４の構成を示す底面図である。
【考案を実施するための形態】
【００２０】
次に、図１〜図５に基づき本考案の実施形態に係るランドセルを詳細に説明する。
なお、以下の説明においては、最も一般的なランドセルの構成を用いて説明するが、本考案はこれになんら限定されず、他の構成に係るものであってもよい。また、底面とはランドセル本体の底板の外側の面を、背面とは本体の背板の外側の面（背当て面）をいい、ランドセル１を立てた状態に基づいて上下の方向を決定する。
【００２１】
図１乃至図３に示すように、本考案の実施形態に係るランドセル１は、上側を開口２ａとする長方体状の本体２と、該本体２の裏面上部に設けられた背かん７と底面に設けたダルマかん８とを介して前記本体に設けられた肩紐３と、前記本体の開口２ａの蓋となる、自由端側にベロ部５及び係止金具６を有する冠４とよりなるランドセル１であって、識別表示９を底面２ｂに着脱不能に付したものである。
また、識別表示９として、底面２ｂには識別模様９ａ及び氏名９ｂ、左右両側面には識別模様９ａと統一性のある付属表示１０が付されている。
【００２２】
本体２は底面２ｂ、左右両側面２ｃ、２ｃ、正面２ｄ及び背面２ｅよりなり、上側を開口２ａとする長方体状のものであり、一般的なものと変わりはなく教科書等を収納して持ち運ぶために強度高く成形されている。
【００２３】
底面２ｂ及び左右両側面２ｃ、２ｃには識別表示９である識別模様９ａ、付属表示１０及び氏名９ｂが付されている。通常、使用時に外観上表われない底面２ｂには模様を付す必要はないが、この底面の識別模様９ａによってランドセルを下した状態や収納状態におけるオリジナリティを十分に発揮することができ、使用者の満足度を高めることが可能となる。
つまり、正面２ｄや左右両側面２ｃ、２ｃの模様によってオリジナリティを発揮させることもできるが、これらの面に視認性の高い模様を付すと使用時に常に外観上表われるため、特別に目立ち過ぎることを嫌がる者も少なくない。特にランドセルは通常六年間使用されるものであり、例え小学校入学時に気に入ったとしても、高学年となり思春期を迎えてこのような感情を抱くことも十分に考えられる。
これに対して、底面２ｂの模様は使用時には外観上認識されず、学校の教室や自宅でランドセル１を下したとき等の限定された場面で認識することができるものであるため、上記のような問題も生じ難く、また、このような隠れた位置への個別模様は需要者の満足度をより高める効果があり結果として商品価値を高いものとすることができる。
【００２４】
本体２の背面２ｅ側には、二本の肩紐３、３が設けられている。各肩紐３は、上端及び下端が本体２の背かん７及びダルマかん８を介して本体２に取付けられている。
また、本体２の開口２ａに蓋をするための冠４が、本体２の背面２ｅの上端に設けられており、この冠４の本体側固定辺に対向する自由端側には、係止金具６を有するベロ部５が設けられている。
【００２５】
識別表示９について説明すると、まず底面２ｂに付された比較的大きな識別模様９ａが、机又は床上に置いた状態や棚に収納した状態で特に目立つものとなっているため、これが主として不使用状態におけるランドセル１の識別性を向上させている。また、底面２ｂには氏名９ｂが付されており、より確実な識別を可能としている。氏名９ｂは、底面２ｂの何処に付したものであってもよいが、本実施形態では図３に示すように、冠を閉めた状態ではベロ部５や係止金具６によって外観上表われない領域（以下、「被覆領域」という。）に付したことによって、使用者の安全性をより高いものとしている。
次に、左右両側面２ｃには付属表示１０のみが付されており、使用状態の識別性を向上しつつ氏名等の個人情報は開示せず、所有者やこれに近い関係の者のみがこのランドセル１の所有者を認識することができる。
これらの識別表示９によってランドセル１は、不使用状態つまり学校や自宅内といった比較的安全な場所では、底面２ｂ及び左右両側面２ｃに付された識別模様９ａ及び付属表示１０と、底面２ｂに付された氏名９ｂとが互いに相俟って識別性を向上させると共に、個性あるデザイン性を発揮するものとなっている。このため、少し離れた場所からでも識別可能であり、所有者がランドセル１を取り違える心配は少ない。また、底面２ｂが見えない状態であっても側面２ｃが見える状態であれば、所有者は自己のものであることを認識することができ、これらの三面に識別模様９が付されていることで、殆どの角度からの識別性を発揮することが可能となっている。
また、使用状態等の通学路等の安全性を考慮すべき場所では、氏名９ｂは見えず識別模様９ａのみが表われることで一定のデザイン性及び識別性を発揮しつつ情報を無意味に開示することがない。
【００２６】
識別表示９は、革表面にレーザー加工によって付されているため、取外しや脱落等の虞がなく、六年間使用されるランドセル１では特に効果を発揮するといえる。また、氏名等を抹消することができないことによって、ランドセル１の盗難にあう可能性も低いものとなっている。
レーザー加工であれば、ランドセル１として成形した後に付すことも可能であり、このことは年間を通して製造を行ない、入学時期に合わせた一定の販売期間に大多数を販売する必要があるランドセル１にとっては特に有益である。
つまり、成形前に模様を付す必要があるとすると、購入者の希望に合わせたデザインを付したランドセル１を提供するには、製造途中で一時的に中断させておきデザイン決定後にこれを再開して商品を提供するため、商品在庫の管理や流通上における大きな障害となると共に、発注者への商品提供までにかなりの時間を要することとなる。現在では、インターネットを利用した販売個数が急増しており迅速な商品提供も強く要求されるため、このような状況下で商品提供までの時間のロスは購入者の満足度の低下に直結する可能性が高い。
また、レーザー加工であれば刺繍のように生地に孔をあける必要もなく、この耐久性を低下させることもない。
【００２７】
これらの理由により、本実施形態では識別表示９をレーザー加工によって付しているが、これに限らず例えば刺繍によって付されたものであってもよい。
この場合には、底面２ｂ及び左右両側面２ｃに対して一連となる刺繍を施すことでより統一感のある識別模様９ａと付属表示１０を付すことができ、また、氏名９ｂも同じ刺繍で行なうとより顕著な効果を発揮し得る。
【００２８】
識別模様９ａや氏名９ｂは、図４に示すようにロック状態でも視認可能な位置に付すことでより識別性を向上させることもできるが、これに限らず、底面２ｂの何処の位置にも自由に付すことができ、底面２ｂには被覆領域が存在するため、この領域を利用して個人情報を見えにくくしたり、デザインを特徴あるものとしたりすることもできる。
例えば図５に示すように、この領域に、この領域以外の識別模様９ａとは一体性又は関連性があるものの、異なったイメージを与える絵や図柄、文字等の識別模様９ａを付すことで、係止金具６を外して冠４を開けたときの楽しさを与えるものとすることも可能である。
【００２９】
ランドセル１の底面２ｂは比較的スペースに余裕があり識別表示９の自由度も高くなる。これによって、オリジナリティを有する模様や図、絵等を好みの位置に配置して個性を持たせることができる。
特に最近の小学生のデザインに対する興味は大きくなっており、このような小学生の要望に応えることができる、自由度の高い識別表示９の付与は、ランドセル１の商品価値を大きく向上する。
【００３０】
本実施形態では、識別表示９である識別模様９ａ及び氏名９ｂを本体２の底面２ｂに、付属表示１０を左右両側面２ｃに付したランドセル１としているが、特にこれに限定されず、底面２ｂに識別表示９を付したものであればよく、例えば底面２ｂに識別模様９ａのみを付したものであってもよく、また、内面や正面、裏面に、識別模様９ａと一体性又は関連性のある模様を付したものであってもよい。
また、付属表示１０は左右何れか一方の側面２ｃに付したものであっても勿論よい。
さらに、識別表示９を付す底面２ｂとは、本体２の底板の下面（外側面）を意味し、革表面のみならず底面に設けられた金具も含み、図５に示すように金具に識別表示９を付したものであってもよい。
また、名称９ｂとは、氏名に限らず、姓又は名の何れか一方でもよく、ニックネームやイニシャルの他、これらに関連するものであってもよい。
【００３１】
以上本考案の実施形態について説明したが、本考案はこの実施例に何ら限定されるものではなく、本考案の要旨を逸脱しない範囲において種々なる形態で実施し得ることは勿論である。
【符号の説明】
【００３２】
１     ランドセル
２     本体
２ａ 開口
２ｂ 底面
２ｃ 左右両側面
２ｄ 正面
２ｅ 背面
３     肩紐
４     冠
５     ベロ部
６     係止金具
７     背かん
８     ダルマかん
９     識別表示
９ａ 識別模様
９ｂ 氏名
１０   付属表示
【図１】
0003180945.tif 000003
【図２】
0003180945.tif 000004
【図３】
0003180945.tif 000005
【図４】
0003180945.tif 000006
【図５】
0003180945.tif 000007